(57)【要約】【課題】放射線照射装置において、操作者が、患者に対する放射線照射手技中に、当該患者に係る単一積算線量分布及び総計積算線量分布を容易に監視できるようにすること。【解決手段】放射線照射装置１０は、複数の積算線量分布を登録可能な積算線量分布ＤＢ１７から、所要の患者識別情報に対応する過去の積算線量分布を取得する過去積算線量分布取得手段１１３と、所要の患者識別情報に対応する患者に対する放射線照射手技の実行中に積算線量分布を第１積算線量分布として逐次算出するとともに、過去の積算線量分布に第１積算線量分布を積算することで第２積算線量分布を逐次算出し、放射線照射手技の実行中に第１積算線量分布及び第２積算線量分布を表示部１４に逐次表示させる逐次積算線量分布算出手段１１６と、単一積算線量分布を積算線量分布ＤＢ１７に登録する積算線量分布登録手段１１７と、を有する。【選択図】  図５
2019130392.tif 000002
【特許請求の範囲】
【請求項１】
複数の積算線量分布を登録可能な記憶部から、所要の患者識別情報に対応する過去の積算線量分布を取得する過去積算線量分布取得手段と、
前記所要の患者識別情報に対応する患者に対する放射線照射手技の実行中に積算線量分布を第１積算線量分布として逐次算出するとともに、前記過去の積算線量分布に前記第１積算線量分布を積算することで第２積算線量分布を逐次算出し、前記放射線照射手技の実行中に前記第１積算線量分布及び前記第２積算線量分布を表示部に逐次表示させる逐次積算線量分布算出手段と、
前記第１積算線量分布を前記記憶部に登録する積算線量分布登録手段と、
を有する放射線照射装置。
【発明の詳細な説明】
【技術分野】
【０００１】
本発明の一態様としての本実施形態は、積算線量分布を表可能な放射線照射装置及び線量管理システムに関する。
【背景技術】
【０００２】
現在、米国・欧州を中心に放射線画像検査による被曝の増加が問題視されており、患者の被曝低減が顧客の課題となっている。米国民の総被曝線量は１９８０年と比較して６倍に増加している。米国医療物理学会は医師に対して不必要な放射線画像検査を行なわないように警告している。また、米国の検査技師に対してはより低線量な検査を行なうよう教育が進められている。
【０００３】
近年、放射線照射手技（放射線照射を伴う検査（撮影）、治療、及び手術等）の実行中の患者への放射線照射による積算線量（被曝線量）を可視化するシステム（ＤＴＳ）が開発されている。このシステムは、放射線照射手技の開始時から現在までの間における積算の積算線量を逐次（リアルタイムで）表示するものである。
【先行技術文献】
【特許文献】
【０００４】
【特許文献１】特開２０１４−１１３４７８号公報
【発明の概要】
【発明が解決しようとする課題】
【０００５】
従来のＤＴＳでは、過去に放射線照射手技が実行された患者に対して更なる放射線照射手技が実行されている場合、実行中の放射線照射手技において逐次算出される積算線量（単一積算線量）が１の放射線照射手技当たりの閾値を超えていないときであっても、過去の放射線照射手技における積算線量に単一積算線量を逐次積算した積算線量（総計積算線量）が閾値を超えてしまうときがある。
【０００６】
総計積算線量が閾値を超えてしまうと、後に放射線皮膚障害として患者の皮膚に紅斑などが発生する可能性がある。
【０００７】
また、従来は、放射線照射手技の実行中に積算線量を監視する上で、単一積算線量のみ、又は、総計積算線量のみの表示では不十分である（積算線量を監視できない）というという課題自体がなかったため、単一積算線量及び総計積算線量の両方を効果的に表示する方法についての技術がなかった。
【課題を解決するための手段】
【０００８】
本実施形態に係る放射線照射装置は、上述した課題を解決するために、複数の積算線量分布を登録可能な記憶部から、所要の患者識別情報に対応する過去の積算線量分布を取得する過去積算線量分布取得手段と、前記所要の患者識別情報に対応する患者に対する放射線照射手技の実行中に積算線量分布を第１積算線量分布として逐次算出するとともに、前記過去の積算線量分布に前記第１積算線量分布を積算することで第２積算線量分布を逐次算出し、前記放射線照射手技の実行中に前記第１積算線量分布及び前記第２積算線量分布を表示部に逐次表示させる逐次積算線量分布算出手段と、前記第１積算線量分布を前記記憶部に登録する積算線量分布登録手段と、を有する。
【０００９】
本実施形態に係る線量管理システムは、上述した課題を解決するために、放射線照射手技を行なう複数の放射線照射装置による複数の積算線量分布を登録可能な記憶部から、所要の患者識別情報に対応する過去の積算線量分布を取得する過去積算線量分布取得手段と、前記所要の患者識別情報に対応する患者に対する放射線照射手技の実行中に積算線量分布を第１積算線量分布として逐次算出するとともに、前記過去の積算線量分布に前記第１積算線量分布を積算することで第２積算線量分布を逐次算出し、前記放射線照射手技の実行中に前記第１積算線量分布及び前記第２積算線量分布を表示部に逐次表示させる逐次積算線量分布算出手段と、前記第１積算線量分布を前記記憶部に登録する積算線量分布登録手段と、を有する。
【図面の簡単な説明】
【００１０】
【図１】本実施形態に係る放射線照射装置の構成を示す概略図。
【図２】放射線照射装置がＸ線診断装置である場合における、放射線照射部の一部の構成例を示す図。
【図３】積算線量分布のデータの一例を示す図。
【図４】積算線量分布のデータの詳細を説明するための図。
【図５】本実施形態に係る放射線照射装置の機能を示すブロック図。
【図６】加算線量分布のデータの一例を示す図。
【図７】初期の総計積算線量分布及び単一積算線量分布の表示画面を示す図。
【図８】実行中の放射線照射手技において逐次算出される総計積算線量分布及び単一積算線量分布の第１表示画面を示す図。
【図９】実行中の放射線照射手技において逐次算出される総計積算線量分布及び単一積算線量分布の第２表示画面を示す図。
【図１０】実行中の放射線照射手技において逐次算出される総計積算線量分布及び単一積算線量分布の第３表示画面を示す図。
【図１１】実行中の放射線照射手技において逐次算出される総計積算線量分布及び単一積算線量分布の第４表示画面を示す図。
【図１２】実行中の放射線照射手技において逐次算出される総計積算線量分布及び単一積算線量分布の第５表示画面を示す図。
【図１３】実行中の放射線照射手技において逐次算出される総計積算線量分布及び単一積算線量分布の第６表示画面を示す図。
【図１４】実行中の放射線照射手技において逐次算出される総計積算線量分布及び単一積算線量分布の第６表示画面を示す図。
【図１５】本実施形態に係る線量管理システムの構成を示す概略図。
【図１６】積算線量分布のデータの一例を示す図。
【図１７】本実施形態に係る線量管理システムの機能を示すブロック図。
【図１８】本実施形態に係る線量管理システムの動作を示すフローチャート。
【発明を実施するための形態】
【００１１】
本実施形態に係る放射線照射装置及び線量管理システムについて、添付図面を参照して説明する。
【００１２】
（放射線照射装置）
図１は、本実施形態に係る放射線照射装置の構成を示す概略図である。
【００１３】
図１は、本実施形態に係る放射線照射装置１０を示す。放射線照射装置１０としては、例えば、Ｘ線診断装置（アンギオ装置及びＸ線透視撮影装置等）及びＸ線ＣＴ（ｃｏｍｐｕｔｅｄ  ｔｏｍｏｇｒａｐｈｙ）装置等の放射線診断装置（放射線検査装置）や、ガンマナイフ等の放射線治療装置が挙げられる。
【００１４】
放射線照射装置１０は、一般的なコンピュータとしての構成を有する。放射線照射装置１０は、大きくは、制御部１１、記憶部１２、操作部１３、表示部１４、及び通信部１５等の基本的なハードウェアと、放射線照射部１６及び積算線量分布ＤＢ（ｄａｔａｂａｓｅ）１７とから構成される。制御部１１は、共通信号伝送路としてのバスを介して、放射線照射装置１０をそれぞれ構成する各ハードウェア構成要素に相互接続されている。
【００１５】
制御部１１は、ＣＰＵ（ｃｅｎｔｒａｌ  ｐｒｏｃｅｓｓｉｎｇ  ｕｎｉｔ）、ＲＡＭ（ｒａｎｄｏｍ  ａｃｃｅｓｓ  ｍｅｍｏｒｙ）等を備えて構成される。制御部１１は、記憶部１２に格納されている各種制御プログラムを読み出して各種演算を行なうと共に、各部１２乃至１７における処理動作を統括的に制御する。
【００１６】
記憶部１２は、メモリやＨＤＤ（ｈａｒｄ  ｄｉｓｃ  ｄｒｉｖｅ）等によって構成される。記憶部１２は、制御部１１において用いられる制御プログラムの実行に必要なデータや、各種データを記憶する。
【００１７】
操作部１３は、キーボードやマウス等によって構成される。操作者により操作部１３が操作されると、操作部１３はその操作に応じた操作信号を生成して制御部１１に出力する。なお、表示部１４におけるディスプレイと一体に構成したタッチパネルを備えてもよい。
【００１８】
表示部１４は、ＬＣＤ（ｌｉｑｕｉｄ  ｃｒｙｓｔａｌ  ｄｉｓｐｌａｙ）等の表示手段によって構成される。表示部１４は、制御部１１からの指示に応じてこの表示手段上に、各種操作画面を表示させる。
【００１９】
通信部１５は、パラレル接続仕様やシリアル接続仕様に合わせたコネクタによって構成される。通信部１５は、ネットワーク上の外部装置と情報の送受信を行なう。
【００２０】
放射線照射部１６は、放射線を照射するための構造体（図示しない）等によって構成される。放射線照射部１６は、制御部１１による制御の下、患者に放射線を照射する装置である。ここで、放射線照射装置１０がＸ線診断装置である場合、放射線照射部１６は、高電圧発生部、Ｘ線源（Ｘ線管）、Ｘ線検出器、Ｃアーム、及び寝台等の一般的な構造体を含む。放射線照射装置１０がＸ線ＣＴ装置である場合、放射線照射部１６は、高電圧発生部、Ｘ線源、Ｘ線検出器、回転部、及び寝台等の一般的な構造体を含む。放射線照射装置１０が放射線治療装置である場合、放射線照射部１６は、高電圧発生部、放射線源、回転部、及び寝台等の一般的な構造体を含む。
【００２１】
図２は、放射線照射装置１０がＸ線診断装置である場合における、放射線照射部１６の一部の構成例を示す図である。
【００２２】
図２は、放射線照射部１６の一部と表示部１４とを示す。放射線照射部１６は、Ｘ線管３１、Ｘ線検出器３２、Ｃアーム３３、及び天板３４を備える。
【００２３】
Ｘ線管３１は、図示しない高電圧発生器からの高電圧（管電圧）の印加によりＸ線を発生する。Ｘ線管３１は、Ｃアーム３３の一端に取り付けられ、Ｃアーム３３の他端には、Ｘ線管３１に対向して、Ｘ線検出器３２が取り付けられる。なお、放射線照射部１６がＣアーム３３を備え、Ｃアーム３３がＸ線管３１及びＸ線検出器３２を一体として動作させる構成を例にとって説明するが、その場合に限定されるものではない。例えば、放射線照射部１６がＣアーム３３を備えずに、Ｘ線管３１及びＸ線検出器３２をそれぞれ独立して動作させる構成であってもよい。
【００２４】
Ｘ線検出器３２は、入射Ｘ線を直接的又は間接的に電荷に変換する複数の検出素子（画素）が２次元状に配列されてなる平面検出器（ｆｌａｔ  ｐａｎｅｌ  ｄｅｔｅｃｔｏｒ）によって構成される。しかしながら、Ｘ線検出器３２は、Ｉ．Ｉ．（ｉｍａｇｅ  ｉｎｔｅｎｓｉｆｉｅｒ）及びＴＶカメラによって構成されてもよい。Ｘ線照射を伴う撮影の際には、Ｘ線管３１とＸ線検出器３２との間に、天板３４上に載置された状態で被検体（患者）Ｐが配置される。
【００２５】
Ｃアーム３３は、患者Ｐに対するＸ線照射角度を自由に変更すべく、互いに直交するＸＹＺ方向の各々に関して所定の制限の下で回転可能なように、天井ベース３５から懸垂アーム３６を介して支持される。なお、Ｘ線管３１のＸ線焦点からＸ線検出器３２の検出面中心を通る直線を撮影軸と称し、典型的には、撮影角度とはＸＹＺ方向に対する撮影軸の交差角として定義され、慣習的には、第１斜位（ＲＡＯ）、第２斜位（ＬＡＯ）、第３斜位（ＬＰＯ）、第４斜位（ＲＰＯ）各々の角度として表現される。典型的には、Ｚ方向は天板３４の長手方向に一致するものとして定義される。
【００２６】
図１の説明に戻って、積算線量分布ＤＢ１７は、ＨＤＤやメモリによって構成される記憶部である。積算線量分布ＤＢ１７は、患者を識別する患者識別情報（患者ＩＤ）と、過去の放射線照射手技（放射線照射を伴う検査（撮影）、治療、及び手術等）の実施時間情報とが付帯された３次元の積算線量（ｍＧｙ）の分布を示す積算線量分布のデータを登録可能である。積算線量分布は、一般的には、放射線照射手技の単位で生成されるものである。
【００２７】
図３は、積算線量分布のデータの一例を示す図である。
【００２８】
図３に示すように、積算線量分布ＤＢ１７（図１に図示）には、３次元の人体モデル（模型）の体表位置ごとにモデル座標系の積算線量が対応付けられた複数の積算線量分布が登録可能である。また、各積算線量分布には、患者情報に含まれる患者識別情報及び実施時間情報が付帯される。
【００２９】
なお、図３では、積算線量分布として、人体モデルの体表位置に積算線量がマッピングされたものを登録する場合を示すが、人体モデルのデータと、体表位置ごとの積算線量とを別にもつものであってもよい。また、人体モデルの代わりに、過去に生成された患者全体を含むボリュームデータが用いられることもある。
【００３０】
図４は、積算線量分布のデータの詳細を説明するための図である。
【００３１】
図４に示すように、人体モデル座標系の積算線量分布は、人体モデルの体表位置（点）Ｑ１〜Ｑ６の各体表位置における積算線量に基づくものである。体表位置Ｑ１〜Ｑ６は、（Ｘ座標、Ｙ座標、Ｚ座標、積算線量（ｍＧｙ））の情報を有する。ここで、Ｘ座標とは、患者の左右方向であり、Ｙ座標とは患者の上下方向であり、Ｚ座標とは、患者の体軸方向である。なお、各体表位置における積算線量は、人体モデルとは別に登録されてもよいし、合わせて登録されてもよい。なお、照射線量がない場合（体表位置Ｑ１〜Ｑ６）には、積算線量は０ｍＧｙとなる。
【００３２】
図５は、本実施形態に係る放射線照射装置１０の機能を示すブロック図である。
【００３３】
本実施形態に係る放射線照射装置１０を構成する制御部１１がプログラムを実行することによって、放射線照射装置１０は、操作支援手段１１１、条件設定手段１１２、過去積算線量分布取得手段１１３、過去加算線量分布算出手段１１４、放射線照射実行手段１１５、逐次積算線量分布算出手段１１６、及び積算線量分布登録手段１１７として機能する。なお、手段１１１〜１１７がソフトウェアとして機能するものとして説明するが、手段１１１〜１１７の全部又は一部は、ハードウェアとして放射線照射装置１０に備えられるものであってもよい。
【００３４】
操作支援手段１１１は、手段１１２〜１１７と、操作部１３及び表示部１４とを媒介するＧＵＩ（ｇｒａｐｈｉｃａｌ  ｕｓｅｒ  ｉｎｔｅｒｆａｃｅ）等のインターフェースである。
【００３５】
条件設定手段１１２は、操作支援手段１１１を介した操作部１３の操作に基づいて、放射線照射手技の対象である患者に関する過去の積算線量分布を取得するための患者識別情報（患者ＩＤ）を設定する。加えて、条件設定手段１１２は、放射線照射手技の対象である患者に関する過去の全ての積算線量分布のうち、特定の期間内の積算線量分布のみを取得するための期間条件を設定してもよい。
【００３６】
過去積算線量分布取得手段１１３は、積算線量分布ＤＢ１７から、条件設定手段１１２によって設定された患者識別情報に対応する過去の積算線量分布を取得する（読み出す）。また、条件設定手段１１２によって期間条件が設定された場合、過去積算線量分布取得手段１１３は、積算線量分布ＤＢ１７から、条件設定手段１１２によって設定された患者識別情報に対応し、かつ、期間条件の範囲内の実施時間情報に対応する積算線量分布を取得する。
【００３７】
例えば、条件設定手段１１２によって患者識別情報「Ｐ１」が設定された場合、過去積算線量分布取得手段１１３は、図３に示す複数の過去の積算線量分布から、患者識別情報「Ｐ１」に対応する３個の過去の積算線量分布を取得する。また、条件設定手段１１２によって患者識別情報「Ｐ１」が設定され、かつ、期間条件「２０１３／０１／０１〜現在」が設定された場合、過去積算線量分布取得手段１１３は、図３に示す複数の過去の積算線量分布から、患者識別情報「Ｐ１」に対応し、かつ、期間条件「２０１３／０１／０１〜現在」の範囲内の２個の過去の積算線量分布を取得する。
【００３８】
過去加算線量分布算出手段１１４は、過去積算線量分布取得手段１１３によって過去の複数の積算線量分布が取得された場合、過去の複数の積算線量分布を位置合せして人体モデルの体表位置ごとに加算（総和）することで、過去の複数の放射線照射手技に亘る加算線量分布のデータを算出する。
【００３９】
つまり、過去加算線量分布算出手段１１４は、過去積算線量分布取得手段１１３によって過去の複数の積算線量分布が取得された場合、過去の複数の積算線量を体表位置ごとに加算することで、過去の複数の放射線照射手技に亘る加算線量分布のデータを算出する。なお、過去積算線量分布取得手段１１３によって過去の１の積算線量分布が取得された場合、過去加算線量分布算出手段１１４は不要である。
【００４０】
図６は、加算線量分布のデータの一例を示す図である。
【００４１】
図６は、加算線量分布を示す。加算線量分布は、過去の複数の積算線量分布が位置合せされて加算されたものである。例えば、図６は、図３に示す患者識別情報「Ｐ１」に対応する３個の積算線量分布が位置合せされて加算されたものである。
【００４２】
図５の説明に戻って、過去加算線量分布算出手段１１４は、過去積算線量分布取得手段１１３によって取得された過去の複数の積算線量分布を位置合せして加算する際、複数の積算線量分布のそれぞれに係数（線形関数、指数関数、対数関数、またはそれらの組み合わせ等）を乗じて加算することで、重みづけ加算を行なってもよい。係数は、経過時間の短い過去の放射線照射を経過時間の長い過去の放射線照射より重要視するように設定される。また、係数は、治療のための放射線照射を行なう場合に、放射線照射された細胞の回復度合いを考慮に入れるように設定される。
【００４３】
放射線照射実行手段１１５は、条件設定手段１１２によって設定された患者識別情報に対応する患者に対して、放射線照射手技を実行する。ここで、放射線照射装置１０がＸ線診断装置やＸ線ＣＴ装置である場合、放射線照射実行手段１１５は放射線照射部１６の動作を制御して、放射線照射を伴って患者の検査部位に関する画像を収集する。また、放射線照射装置１０が放射線治療装置である場合、放射線照射実行手段１１５は放射線照射部１６の動作を制御して、患者の治療部位に放射線を当てる。
【００４４】
逐次積算線量分布算出手段１１６は、放射線照射実行手段１１５によって放射線照射手技の実行中に、現在までの照射線量を積算することで積算線量を逐次算出する。そして、逐次積算線量分布算出手段１１６は、積算線量を人体モデルの体表位置に関連付けた積算線量分布を逐次（リアルタイムで）算出する。
【００４５】
実座標系における患者の体表位置が、モデル座標系における人体モデルの該当体表位置に座標変換されることで、実座標系の患者の体表位置に係る積算線量が人体モデルの該当体表位置の積算線量とされる。逐次積算線量分布算出手段１１６は、単一積算線量分布算出手段１１６ａ及び総計積算線量分布算出手段１１６ｂを有する。
【００４６】
単一積算線量分布算出手段１１６ａは、放射線照射手技の実行中に、実行中の放射線照射手技の開始から現在までの積算線量分布を単一積算量分布として逐次算出する。単一積算線量分布は、実行中の放射線照射手技の開始から現在までの積算線量が人体モデルの体表位置に関連付けられたものである。
【００４７】
総計積算線量分布算出手段１１６ｂは、放射線照射手技の実行中に、過去加算線量分布算出手段１１４によって算出された過去の加算線量分布に、単一積算線量分布算出手段１１６ａによって算出された単一積算線量分布を逐次積算する。そして、総計積算線量分布算出手段１１６ｂは、過去の複数の積算線量分布のうち最先の積算線量分布に係る放射線照射手技の開始から現在までの総計積算線量分布を逐次算出する。総計積算線量分布は、過去の複数の積算線量分布のうち最先の積算線量分布に係る放射線照射手技の開始から現在までの積算線量が人体モデルの体表位置に関連付けられたものである。
【００４８】
なお、過去積算線量分布取得手段１１３によって過去の１の積算線量分布が取得された場合、総計積算線量分布算出手段１１６ｂは、放射線照射手技の実行中に、過去積算線量分布取得手段１１３によって取得された過去の１の積算線量分布に、単一積算線量分布算出手段１１６ａによって算出された単一積算線量分布を逐次積算する。そして、総計積算線量分布算出手段１１６ｂは、過去の１の積算線量分布に係る放射線照射手技の開始から現在までの総計積算線量分布を逐次算出する。
【００４９】
逐次積算線量分布算出手段１１６は、放射線照射手技の実行中に、単一積算線量分布及び総計積算線量分布を、操作支援手段１１１を介して表示部１４に逐次表示させる。つまり、逐次積算線量分布算出手段１１６は、放射線照射手技の実行中のいずれかのタイミングで単一積算線量分布を逐次表示させるとともに、放射線照射手技の実行中のいずれかのタイミングで総計積算線量分布を表示部１４に逐次表示させる。逐次積算線量分布算出手段１１６は、放射線照射手技の実行中に、単一積算線量分布及び総計積算線量分布の両方を逐次表示させるか（図８，図１０〜図１４）、又は、単一積算線量分布の逐次表示と総計積算線量分布の逐次表示とを切り替えさせる（図９）。
【００５０】
図７は、初期の単一積算線量分布及び総計積算線量分布の表示画面を示す図である。
【００５１】
図７に示す表示画面Ｄ０は、放射線照射実行手段１１５（図５に図示）による放射線照射手技の開始前（初期）の単一積算線量分布及び総計積算線量分布を含む。放射線照射実行手段１１５による放射線照射手技は未だ開始されていないので、単一積算線量分布は、人体モデルのみを示し、総計積算線量分布は、人体モデルを含む加算線量分布を示すことになる。総計積算線量分布には、人体モデルの体表位置ごとに、総計積算線量の程度に従った色の属性情報（色相情報、明度情報、及び彩度情報の少なくとも１の情報を含む）が与えられる。
【００５２】
また、初期の単一積算線量分布及び総計積算線量分布はともに３次元データであるので、表示画面Ｄ０を介して表示される場合には、任意の視点に基づいてレンダリング処理された３次元画像として表示される。なお、任意の視点は適宜変更可能である。
【００５３】
なお、図７に示す表示画面は、図８に示す第１表示画面の初期画面である。図９〜図１４に示す第２表示画面〜第６表示画面の初期画面についても同等である。
【００５４】
図８は、実行中の放射線照射手技において逐次算出される単一積算線量分布及び総計積算線量分布の第１表示画面（並列表示画面）を示す図である。
【００５５】
図８に示す表示画面Ｄ１は、単一積算線量分布及び総計積算線量分布を並列的に逐次表示するものである。表示画面Ｄ１上の単一積算線量分布が逐次更新されることで、操作者は、実行中の放射線照射手技の開始から現在までの積算線量を逐次視認することができる。また、表示画面Ｄ１上の総計積算線量分布が逐次更新されることで、操作者は、当該患者に係る過去の放射線照射手技から現在までの積算線量を逐次視認することができる。
【００５６】
図９は、実行中の放射線照射手技において逐次算出される単一積算線量分布及び総計積算線量分布の第２表示画面（切替表示画面）を示す図である。
【００５７】
図９に示す表示画面は、単一積算線量分布を逐次表示する表示画面Ｄ２と、総計積算線量分布を逐次表示する表示画面Ｄ２´とを切り替えるものである。表示画面Ｄ２の表示中に表示画面Ｄ２上の単一積算線量分布が逐次更新されることで、操作者は、実行中の放射線照射手技の開始から現在までの積算線量を逐次視認することができる。また、表示画面Ｄ２´の表示中に表示画面Ｄ２´上の総計積算線量分布が逐次更新されることで、操作者は、当該患者に係る過去の放射線照射手技から現在までの積算線量を逐次視認することができる。
【００５８】
積算線量分布の表示は、所要のタイミングで表示画面Ｄ２から表示画面Ｄ２´に、表示画面Ｄ２´から表示画面Ｄ２に切り替わる。切り替わるタイミングは、操作部１３（図５に図示）を介した操作によるものであってもよいし、積算線量が閾値に近づいたタイミング（アラーム音のタイミング）によるものであってもよい。また、切り替わるタイミングは、予め設定された時間間隔に応じたものであってもよい。
【００５９】
図１０は、実行中の放射線照射手技において逐次算出される単一積算線量分布及び総計積算線量分布の第３表示画面（拡大・縮小表示画面）を示す図である。
【００６０】
図１０に示す表示画面Ｄ３は、単一積算線量分布及び総計積算線量分布の一方を拡大して逐次表示させ、他方を縮小して逐次表示させるものである。例えば、表示画面Ｄ３では、単一積算線量分布が拡大表示され、総計積算線量分布が縮小表示されている。表示画面Ｄ３上の単一積算線量分布が逐次更新されることで、操作者は、実行中の放射線照射手技の開始から現在までの積算線量を逐次視認することができる。また、表示画面Ｄ３上の総計積算線量分布が逐次更新されることで、操作者は、当該患者に係る過去の放射線照射手技から現在までの積算線量を逐次視認することができる。
【００６１】
なお、図１０に示す表示画面Ｄ３では、単一積算線量分布を拡大表示する一方で、総計積算線量分布を縮小表示している。しかしながら、拡大表示及び縮小表示の対象が逆であってもよいし、拡大表示及び縮小表示が任意に切り替えられるように構成されるものであってもよい。
【００６２】
図１１は、実行中の放射線照射手技において逐次算出される単一積算線量分布及び総計積算線量分布の第４表示画面（全部・一部表示画面）を示す図である。
【００６３】
図１１に示す表示画面Ｄ４は、単一積算線量分布及び総計積算線量分布の一方の全部を逐次表示させ、他方の一部を逐次表示させるものである。例えば、表示画面Ｄ４では、単一積算線量分布が全部表示され、総計積算線量分布が一部表示されている。表示画面Ｄ４上の単一積算線量分布の全部が逐次更新されることで、操作者は、実行中の放射線照射手技の開始から現在までの積算線量を逐次視認することができる。また、表示画面Ｄ４上の総計積算線量分布の一部が逐次更新されることで、操作者は、当該患者に係る過去の放射線照射手技から現在までの積算線量を逐次視認することができる。
【００６４】
なお、図１１に示す表示画面Ｄ４では、単一積算線量分布を全部表示する一方で、総計積算線量分布を一部表示している。しかしながら、全部表示及び一部表示の対象が逆であってもよいし、全部表示及び一部表示が任意に切り替えられるように構成されるものであってもよい。
【００６５】
図１２は、実行中の放射線照射手技において逐次算出される単一積算線量分布及び総計積算線量分布の第５表示画面（陰影・数値表示画面）を示す図である。
【００６６】
図１２に示す表示画面Ｄ５は、単一積算線量分布及び総計積算線量分布の一方を陰影にて逐次表示させ、他方の積算線量の最大値を数値にて逐次表示させるものである。例えば、表示画面Ｄ５では、単一積算線量分布の陰影と、総計積算線量分布の総計積算線量のうち最大値とが表示される。表示画面Ｄ５上の単一積算線量分布の陰影が逐次更新されることで、操作者は、実行中の放射線照射手技の開始から現在までの積算線量を逐次視認することができる。また、表示画面Ｄ５上の総計積算線量の最大値が逐次更新されることで、操作者は、当該患者に係る過去の放射線照射手技から現在までの積算線量の最大値を逐次視認することができる。
【００６７】
なお、図１２に示す表示画面Ｄ５では、単一積算線量分布を陰影表示する一方で、総計積算線量の最大値を数値表示している。しかしながら、陰影表示及び数値表示の対象が逆であってもよいし、陰影表示及び数値表示が任意に切り替えられるように構成されるものであってもよい。
【００６８】
図１３及び図１４は、実行中の放射線照射手技において逐次算出される単一積算線量分布及び総計積算線量分布の第６表示画面（重畳表示画面）を示す図である。
【００６９】
図１３及び図１４に示す表示画面Ｄ６は、単一積算線量分布及び総計積算線量分布を、異なる表示パターンで重畳的に逐次表示させるものである。まず、単一積算線量分布の３次元画像（レンダリング画像）上であって単一積算線量が０より大きい体表部分に、離間するドットが設定され、そのドットが、ドット上の単一積算線量（ドット上の複数の単一積算線量の平均値）の程度に従った色の属性情報で表現される。そして、図１３に示す表示画面Ｄ６のように、総計積算線量分布の３次元画像上に、単一積算線量分布に基づき色の属性情報が付与されたドットが重畳されることで、単一積算線量分布及び総計積算線量分布が重畳表示される。
【００７０】
一方で、単一積算線量分布の３次元画像上であって単一積算線量が０より大きい体表部分に斜線が設定され、その斜線が、斜線上の単一積算線量（斜線上の複数の単一積算線量の平均値）の程度に従った色の属性情報で表現される。そして、図１４に示す表示画面Ｄ６のように、総計積算線量分布の３次元画像上に、単一積算線量分布に基づき色の属性情報が付与された斜線が重畳されることで、単一積算線量分布及び総計積算線量分布が重畳表示される。
【００７１】
表示画面Ｄ６上の単一積算線量分布が逐次更新されることで、操作者は、実行中の放射線照射手技の開始から現在までの積算線量を逐次視認することができる。また、表示画面Ｄ６上の総計積算線量分布が逐次更新されることで、操作者は、当該患者に係る過去の放射線照射手技から現在までの積算線量を逐次視認することができる。
【００７２】
図５の説明に戻って、積算線量分布登録手段１１７は、放射線照射実行手段１１５による放射線照射手技の終了後、逐次積算線量分布算出手段１１６の単一積算線量分布算出手段１１６ａによって算出された積算線量分布（単一積算線量分布）に患者識別情報及び実施時間情報を付帯して積算線量分布ＤＢ１７に登録する。
【００７３】
本実施形態に係る放射線照射装置１０によると、患者に対する放射線照射手技中に、単一積算線量分布及び総計積算線量分布を逐次に効果的に表示部１４に表示することで、医師や技師等の操作者は、患者に対する放射線照射手技中に、当該患者に係る単一積算線量分布及び総計積算線量分布を容易に監視できる。
【００７４】
本実施形態に係る放射線照射装置１０によると、患者に対する放射線照射手技中に、単一積算線量分布及び総計積算線量分布を逐次に効果的に表示部１４に表示することで、患者に対する放射線照射手技中に、過去の放射線照射部位を避けるべく適切な放射線照射方向を操作者が容易に決定することができるので、患者への放射線障害を軽減できる。また、本実施形態に係る放射線照射装置１０によると、操作者は、患者に対する放射線照射手技中に、自らの放射線照射手技における放射線の当て方が適切であるかどうかを表示部１４で確認しながら放射線照射手技を進めることができる。
【００７５】
（線量管理システム）
図１５は、本実施形態に係る線量管理システムの構成を示す概略図である。
【００７６】
図１５は、本実施形態に係る線量管理システム３０を示す。線量管理システム３０は、線量管理装置４０と、複数の放射線照射装置５０（放射線照射装置５０ａ，５０ｂ，…）とを設ける。複数の放射線照射装置５０としては、例えば、Ｘ線診断装置及びＸ線ＣＴ装置等の放射線診断装置（放射線検査装置）や、ガンマナイフ等の放射線治療装置が挙げられる。
【００７７】
線量管理装置４０は、一般的なコンピュータとしての構成を有する。線量管理装置４０は、大きくは、制御部４１、記憶部４２、操作部４３、表示部４４、及び通信部４５等の基本的なハードウェアと、積算線量分布ＤＢ４７とから構成される。制御部４１は、共通信号伝送路としてのバスを介して、線量管理装置４０をそれぞれ構成する各ハードウェア構成要素に相互接続されている。
【００７８】
制御部４１〜通信部４５は、図１に示す制御部１１〜通信部１５と同等の構成及び機能を有するものであるので、説明を省略する。
【００７９】
積算線量分布ＤＢ４７は、図１に示す積算線量分布ＤＢ１７と同様にＨＤＤやメモリによって構成される記憶部である。積算線量分布ＤＢ４７は、患者を識別する患者識別情報（患者ＩＤ）と、過去の放射線照射手技の実施時間情報と、放射線照射手技を実施した複数の放射線照射装置のいずれかを識別する装置識別情報とが付帯された３次元の積算線量（ｍＧｙ）の分布を示す積算線量分布のデータを登録可能である（図１６に図示）。積算線量分布は、一般的には、放射線照射手技の単位で生成されるものである。
【００８０】
積算線量分布ＤＢ４７は、図１に示す積算線量分布ＤＢ１７と異なり、放射線照射装置５０の各々によって算出され、放射線照射装置５０の各々から送信された複数の積算線量分布のデータを登録可能である。
【００８１】
図１６は、積算線量分布のデータの一例を示す図である。
【００８２】
図１６に示すように、積算線量分布ＤＢ４７（図１５に図示）には、人体モデルの体表位置ごとに人体モデル座標系の積算線量が対応付けられた複数の積算線量分布が登録可能である。また、各積算線量分布には、患者情報に含まれる患者識別情報及び実施時間情報が付帯される。なお、図１６では、積算線量分布として、人体モデルの体表位置に積算線量がマッピングされたものを登録する場合を示すが、人体モデルのデータと、体表位置ごとの積算線量とを別にもつものであってもよい。
【００８３】
図１５の説明に戻って、複数の放射線照射装置５０の各々は、一般的なコンピュータとしての構成を有する。複数の放射線照射装置５０の各々は、大きくは、制御部５１、記憶部５２、操作部５３、表示部５４、及び通信部５５等の基本的なハードウェアと、放射線照射部５６とから構成される。制御部５１は、共通信号伝送路としてのバスを介して、複数の放射線照射装置５０の各々をそれぞれ構成する各ハードウェア構成要素に相互接続されている。
【００８４】
制御部５１〜通信部５５は、図１に示す制御部１１〜通信部１５と同等の構成及び機能を有するものであるので、説明を省略する。
【００８５】
放射線照射部５６は、図１に示す放射線照射部１６と同等の構成を有する。放射線照射部５６は、制御部５１による制御の下、患者に放射線を照射する装置である。ここで、複数の放射線照射装置５０のいずれかがＸ線診断装置である場合、当該放射線照射装置の放射線照射部５６は、高電圧発生部、Ｘ線源、Ｘ線検出器、及び寝台等の一般的な構造体を含む。複数の放射線照射装置５０のいずれかがＸ線ＣＴ装置である場合、当該放射線照射装置の放射線照射部５６は、高電圧発生部、Ｘ線源、Ｘ線検出器、回転部、及び寝台等の一般的な構造体を含む。複数の放射線照射装置のいずれかが放射線治療装置である場合、当該放射線照射装置の放射線照射部５６は、高電圧発生部、放射線源、回転部、及び寝台等の一般的な構造体を含む。
【００８６】
図１７は、本実施形態に係る線量管理システム３０の機能を示すブロック図である。
【００８７】
本実施形態に係る線量管理システム３０を構成する制御部４１がプログラムを実行することによって、線量管理装置４０は、条件受信手段４１１、過去積算線量分布取得手段４１２、過去加算線量分布算出手段４１３、過去加算線量分布送信手段４１４、積算線量分布受信手段４１５、及び積算線量分布登録手段４１６として機能する。なお、手段４１１〜４１６がソフトウェアとして機能するものとして説明するが、手段４１１〜４１６の全部又は一部は、ハードウェアとして線量管理装置４０に備えられるものであってもよい。
【００８８】
条件受信手段４１１は、複数の放射線照射装置５０のうち特定の放射線照射装置５０ａによって設定され、放射線照射装置５０ａから送信された患者識別情報（患者ＩＤ）を受信する。
【００８９】
過去積算線量分布取得手段４１２は、図４に示す過去積算線量分布取得手段１１３と同等の機能を有する。すなわち、過去積算線量分布取得手段４１２は、積算線量分布ＤＢ４７から、条件受信手段４１１によって受信された患者識別情報に対応する過去の積算線量分布を取得する（読み出す）。また、条件受信手段４１１によって期間条件が設定された場合、過去積算線量分布取得手段４１２は、積算線量分布ＤＢ４７から、条件受信手段４１１によって受信された患者識別情報に対応し、かつ、期間条件の範囲内の実施時間情報に対応する積算線量分布を取得する。さらに、条件受信手段４１１によって装置条件が設定された場合、過去積算線量分布取得手段４１２は、積算線量分布ＤＢ４７から、条件受信手段４１１によって受信された患者識別情報に対応し、かつ、装置条件の範囲内の装置識別情報に対応する積算線量分布を取得する。
【００９０】
過去加算線量分布算出手段４１３は、図４に示す過去加算線量分布算出手段１１４と同等の機能を有する。すなわち、過去加算線量分布算出手段４１３は、過去積算線量分布取得手段４１２によって過去の複数の積算線量分布が取得された場合、過去の複数の積算線量分布を位置合せして人体モデルの体表位置ごとに加算（総和）することで、過去の複数の放射線照射手技に亘る加算線量分布のデータを算出する。
【００９１】
つまり、過去加算線量分布算出手段４１３は、過去積算線量分布取得手段４１２によって過去の複数の積算線量分布が受信された場合、過去の複数の積算線量を体表位置ごとに加算することで、過去の複数の放射線照射手技に亘る加算線量分布のデータを算出する。なお、過去積算線量分布取得手段４１２によって過去の１の積算線量分布が取得された場合、過去加算線量分布算出手段４１３は不要である。ここで、加算線量分布のデータの例は、図６に示すものと同様である。
【００９２】
なお、過去加算線量分布算出手段４１３は、複数の放射線照射装置５０の各々に備えられるものであってもよい。
【００９３】
過去加算線量分布送信手段４１４は、過去加算線量分布算出手段４１３によって算出された過去の加算線量分布を、患者識別情報を送信した放射線照射装置５０ａに送信する。
【００９４】
積算線量分布受信手段４１５は、患者識別情報を送信した放射線照射装置５０ａによって算出され、放射線照射装置５０ａから送信された積算線量分布を受信する。
【００９５】
積算線量分布登録手段４１６は、図４に示す積算線量分布登録手段１１７と同等の機能を有する。すなわち、積算線量分布登録手段４１６は、放射線照射装置５０ａによる放射線照射手技の後、放射線照射装置５０ａによって算出された積算線量分布（単一積算線量分布）に患者識別情報、実施時間情報、及び装置識別情報を付帯して積算線量分布ＤＢ４７に登録する。
【００９６】
また、本実施形態に係る線量管理システム３０を構成する制御部５１がプログラムを実行することによって、複数の放射線照射装置５０の各々は、操作支援手段５１１、条件設定手段５１２、条件送信手段５１３、過去加算線量分布受信手段５１４、放射線照射実行手段５１５、逐次積算線量分布算出手段５１６、及び積算線量分布送信手段５１７として機能する。なお、手段５１１〜５１７がソフトウェアとして機能するものとして説明するが、手段５１１〜５１７の全部又は一部は、ハードウェアとして複数の放射線照射装置５０の各々に備えられるものであってもよい。
【００９７】
操作支援手段５１１は、図４に示す操作支援手段１１１と同等の機能を有する。すなわち、操作支援手段５１１は、手段５１２〜５１７と、操作部５３及び表示部５４とを媒介するＧＵＩ等のインターフェースとして機能する。
【００９８】
条件設定手段５１２は、図４に示す条件設定手段１１２と同等の機能を有する。すなわち、条件設定手段５１２は、操作支援手段５１１を介した操作部５３の操作に基づいて、放射線照射手技の対象である患者に関する過去の積算線量分布を取得するための患者識別情報（患者ＩＤ）を設定する。加えて、条件設定手段５１２は、放射線照射手技の対象である患者に関する過去の全ての積算線量分布のうち、特定の期間内の積算線量分布のみを取得するための期間条件や、特定の放射線照射装置の放射線照射手技によって生成された積算線量分布のみを取得するための装置条件を設定してもよい。
【００９９】
条件送信手段５１３は、条件設定手段５１２によって設定された患者識別情報を線量管理装置４０の条件受信手段４１１に送信する。
【０１００】
過去加算線量分布受信手段５１４は、線量管理装置４０の過去加算線量分布送信手段４１４から送信された過去の加算線量分布を受信する。
【０１０１】
放射線照射実行手段５１５は、図４に示す放射線照射実行手段１１５と同等の機能を有する。すなわち、放射線照射実行手段５１５は、条件設定手段５１２によって設定された患者識別情報に対応する患者に対して、放射線照射手技を実行する。ここで、複数の放射線照射装置５０のいずれかがＸ線診断装置やＸ線ＣＴ装置である場合、当該放射線照射装置の放射線照射実行手段５１５は放射線照射部５６の動作を制御して、放射線照射を伴って患者の検査部位に関する画像を収集する。また、複数の放射線照射装置５０のいずれかが放射線治療装置である場合、当該放射線照射装置の放射線照射実行手段５１５は放射線照射部５６の動作を制御して、患者の治療部位に放射線を当てる。
【０１０２】
逐次積算線量分布算出手段５１６は、図４に示す逐次積算線量分布算出手段１１６と同等の機能を有する。すなわち、逐次積算線量分布算出手段５１６は、放射線照射実行手段５１５によって放射線照射手技の実行中に、現在までの照射線量を積算することで積算線量を逐次算出する。そして、逐次積算線量分布算出手段５１６は、積算線量を人体モデルの体表位置に関連付けた積算線量分布を逐次算出する。
【０１０３】
実座標系における患者の体表位置が、モデル座標系における人体モデルの該当体表位置に座標変換されることで、実座標系の患者の体表位置に係る積算線量が人体モデルの該当体表位置の積算線量とされる。逐次積算線量分布算出手段５１６は、単一積算線量分布算出手段５１６ａ及び総計積算線量分布算出手段５１６ｂを有する。
【０１０４】
単一積算線量分布算出手段５１６ａは、単一積算線量分布算出手段１１６ａと同等の機能を有する。すなわち、単一積算線量分布算出手段５１６ａは、放射線照射手技の実行中に、実行中の放射線照射手技の開始から現在までの積算線量分布を単一積算量分布として逐次算出する。単一積算線量分布は、実行中の放射線照射手技の開始から現在までの積算線量が人体モデルの体表位置に関連付けられたものである。
【０１０５】
総計積算線量分布算出手段５１６ｂは、放射線照射手技の実行中に、過去加算線量分布受信手段５１４によって受信された過去の加算線量分布に、単一積算線量分布算出手段５１６ａによって算出された単一積算線量分布を逐次積算する。そして、総計積算線量分布算出手段５１６ｂは、過去の複数の積算線量分布のうち最先の積算線量分布に係る放射線照射手技の開始から現在までの総計積算線量分布を逐次算出する。総計積算線量分布は、過去の複数の積算線量分布のうち最先の積算線量分布に係る放射線照射手技の開始から現在までの積算線量が人体モデルの体表位置に関連付けられたものである。
【０１０６】
なお、過去積算線量分布取得手段４１２によって過去の１の積算線量分布が取得された場合、総計積算線量分布算出手段５１６ｂは、放射線照射手技の実行中に、過去の１の積算線量分布に、単一積算線量分布算出手段５１６ａによって算出された単一積算線量分布を逐次積算する。そして、総計積算線量分布算出手段５１６ｂは、過去の１の積算線量分布に係る放射線照射手技の開始から現在までの総計積算線量分布を逐次算出する。
【０１０７】
逐次積算線量分布算出手段５１６は、放射線照射手技の実行中に、単一積算線量分布及び総計積算線量分布を、操作支援手段５１１を介して表示部５４（図２に示す表示部１４に相当）に逐次表示させる（図８，図１０〜図１４）。又は、逐次積算線量分布算出手段５１６は、放射線照射手技の実行中に、単一積算線量分布の操作支援手段５１１を介した表示部５４への逐次表示と、総計積算線量分布の操作支援手段５１１を介した表示部５４への逐次表示とを切り替える（図９）。
【０１０８】
積算線量分布送信手段５１７は、放射線照射実行手段５１５による放射線照射手技の終了後、逐次積算線量分布算出手段５１６の単一積算線量分布算出手段５１６ａによって算出された積算線量分布（単一積算線量分布）を、患者識別情報、実施時間情報、及び装置識別情報とともに線量管理装置４０の積算線量分布受信手段４１５に送信する。
【０１０９】
続いて、本実施形態に係る線量管理システム３０の動作について、図１５及び図１８を用いて説明する。
【０１１０】
図１８は、本実施形態に係る線量管理システム３０の動作を示すフローチャートである。
【０１１１】
線量管理システム３０の複数の放射線照射装置５０のうち１の放射線照射装置５０ａは、放射線照射手技の対象である患者に関する過去の積算線量分布を取得するための患者識別情報「患者Ｐ１」を設定する（ステップＳＴ１）。加えて、ステップＳＴ１では、放射線照射手技の対象である患者に関する過去の全ての積算線量分布のうち、特定の期間内の積算線量分布のみを取得するための期間条件や、特定の放射線照射装置の放射線照射手技によって生成された積算線量分布のみを取得するための装置条件が設定されてもよい。
【０１１２】
放射線照射装置５０ａは、ステップＳＴ１によって設定された患者識別情報「患者Ｐ１」を線量管理装置４０に送信する（ステップＳＴ２）。
【０１１３】
線量管理装置４０は、ステップＳＴ２によって送信された患者識別情報「患者Ｐ１」を受信し、積算線量分布ＤＢ４７（図１６に図示）から、受信された患者識別情報「患者Ｐ１」に対応する過去の積算線量分布を取得する（ステップＳＴ３）。
【０１１４】
線量管理装置４０は、ステップＳＴ３によって過去の複数の積算線量分布が取得された場合、過去の複数の積算線量分布を位置合せして加算することで、過去の複数の放射線照射手技に亘る加算線量分布のデータを算出する（ステップＳＴ４）。
【０１１５】
線量管理装置４０は、ステップＳＴ４によって算出された過去の加算線量分布を放射線照射装置５０ａに送信する（ステップＳＴ５）。
【０１１６】
放射線照射装置５０ａは、ステップＳＴ５によって送信された過去の加算線量分布を受信し、ステップＳＴ１によって設定された患者識別情報「患者Ｐ１」に対応する患者に対して、放射線照射手技を開始する（ステップＳＴ６）。
【０１１７】
放射線照射装置５０ａは、放射線照射手技の実行中に積算線量分布を単一積算線量分布として算出して表示部５４に表示させる（ステップＳＴ７）。同時に、放射線照射装置５０ａは、放射線照射手技の実行中に、ステップＳＴ６によって受信された過去の加算線量分布に、ステップＳＴ７によって算出された単一積算線量分布を積算することで総計積算線量分布を算出して表示部５４（図２に示す表示部１４に相当）に表示させる（ステップＳＴ８）。ステップＳＴ７，ＳＴ８による表示画面は、図８〜図１４に示す。
【０１１８】
ステップＳＴ７，ＳＴ８による単一積算線量分布及び総計積算線量分布の表示は、実行中の放射線照射手技の終了まで繰り替えされる。
【０１１９】
放射線照射装置５０ａは、ステップＳＴ６によって開始された放射線照射手技の終了後、ステップＳＴ７によって算出された積算線量分布（単一積算線量分布）に患者識別情報、実施時間情報、及び装置識別情報を付帯して線量管理装置４０に送信する（ステップＳＴ９）。
【０１２０】
線量管理装置４０は、ステップＳＴ９によって送信された積算線量分布を受信し、積算線量分布ＤＢ４７に、受信された積算線量分布を登録する（ステップＳＴ１０）。
【０１２１】
次いで、ステップＳＴ１の後のタイミングで、線量管理システム３０の複数の放射線照射装置５０のうち１の放射線照射装置５０ｂは、放射線照射手技の対象である患者に関する過去の積算線量分布を取得するための患者識別情報「患者Ｐ１」を設定する（ステップＳＴ１１）。加えて、ステップＳＴ１１では、放射線照射手技の対象である患者に関する過去の全ての積算線量分布のうち、特定の期間内の積算線量分布のみを取得するための期間条件が設定されてもよい。
【０１２２】
放射線照射装置５０ｂは、ステップＳＴ１１によって設定された患者識別情報「患者Ｐ１」を線量管理装置４０に送信する（ステップＳＴ１２）。
【０１２３】
線量管理装置４０は、ステップＳＴ１２によって送信された患者識別情報「患者Ｐ１」を受信し、積算線量分布ＤＢ４７から、受信された患者識別情報「患者Ｐ１」に対応する過去の積算線量分布を取得する（ステップＳＴ１３）。ここで、ステップＳＴ３によって受信された患者識別情報「患者Ｐ１」と、ステップＳＴ１３によって受信された患者識別情報「患者Ｐ１」とが一致するので、ステップＳＴ１３によって取得される過去の積算線量分布は、ステップＳＴ１０によって登録された積算線量分布を含む。
【０１２４】
線量管理装置４０は、ステップＳＴ１３によって過去の複数の積算線量分布が取得された場合、過去の複数の積算線量分布を位置合せして加算することで、過去の複数の放射線照射手技に亘る加算線量分布のデータを算出する（ステップＳＴ１４）。
【０１２５】
線量管理装置４０は、ステップＳＴ１４によって算出された過去の加算線量分布を放射線照射装置５０ｂに送信する（ステップＳＴ１５）。
【０１２６】
放射線照射装置５０ｂは、ステップＳＴ１５によって送信された過去の加算線量分布を受信し、ステップＳＴ１１によって設定された患者識別情報「患者Ｐ１」に対応する患者に対して、放射線照射手技を開始する（ステップＳＴ１６）。
【０１２７】
放射線照射装置５０ｂは、放射線照射手技の実行中に積算線量分布を単一積算線量分布として算出して表示部５４に表示させる（ステップＳＴ１７）。同時に、放射線照射装置５０ｂは、放射線照射手技の実行中に、ステップＳＴ１６によって受信された過去の加算線量分布に、ステップＳＴ１７によって算出された単一積算線量分布を積算することで総計積算線量分布を算出して表示部５４（図２に示す表示部１４に相当）に表示させる（ステップＳＴ１８）。ステップＳＴ１７，ＳＴ１８による表示画面は、図８〜図１４に示す。
【０１２８】
ステップＳＴ１７，ＳＴ１８による単一積算線量分布及び総計積算線量分布の表示は、実行中の放射線照射手技の終了まで繰り替えされる。
【０１２９】
放射線照射装置５０ｂは、ステップＳＴ１６によって開始された放射線照射手技の終了後、ステップＳＴ１７によって算出された積算線量分布（単一積算線量分布）に患者識別情報、実施時間情報、及び装置識別情報を付帯して線量管理装置４０に送信する（ステップＳＴ１９）。
【０１３０】
線量管理装置４０は、ステップＳＴ１９によって送信された積算線量分布を受信し、積算線量分布ＤＢ４７に、受信された積算線量分布を登録する（ステップＳＴ２０）。
【０１３１】
本実施形態に係る線量管理システム３０によると、患者に対する放射線照射手技中に、単一積算線量分布及び総計積算線量分布を逐次に効果的に表示部５４に表示することで、医師や技師等の操作者は、患者に対する放射線照射手技中に、当該患者に係る単一積算線量分布及び総計積算線量分布を容易に監視できる。
【０１３２】
本実施形態に係る線量管理システム３０によると、患者に対する放射線照射手技中に、単一積算線量分布及び総計積算線量分布を逐次に効果的に表示部５４に表示することで、患者に対する放射線照射手技中に、過去の放射線照射部位を避けるべく適切な放射線照射方向を操作者が容易に決定することができるので、患者への放射線障害を軽減できる。また、本実施形態に係る線量管理システム３０によると、操作者は、患者に対する放射線照射手技中に、自らの放射線照射手技における放射線の当て方が適切であるかどうかを表示部５４で確認しながら放射線照射手技を進めることができる。
【０１３３】
以上、本発明のいくつかの実施形態を説明したが、これらの実施形態は、例として提示したものであり発明の範囲を限定することは意図していない。これら新規な実施形態は、その他の様々な形態で実施されることが可能であり、発明の要旨を逸脱しない範囲で種々の省略、置き換え、変更を行なうことができる。これらの実施形態やその変形は、発明の範囲や要旨に含まれるとともに、特許請求の範囲に記載された発明とその均等の範囲に含まれる。
【符号の説明】
【０１３４】
１０  放射線照射装置
１１  制御部
１４，５４  表示部
１７，４７  積算線量分布ＤＢ
３０  線量管理システム
４０  線量管理装置
５０  複数の放射線照射装置
１１１，５１１  操作支援手段
１１２，５１２  条件設定手段
１１３，４１２  過去積算線量分布取得手段
１１４，４１３  過去加算線量分布算出手段
１１５，５１５  放射線照射実行手段
１１６，５１６  逐次積算線量分布算出手段
１１７，４１６  積算線量分布登録手段
４１１  条件受信手段
４１４  過去加算線量分布送信手段
４１５  積算線量分布受信手段
５１３  条件送信手段
５１４  過去加算線量分布受信手段
５１７  積算線量分布送信手段
【図１】
2019130392.tif 000003
【図２】
2019130392.tif 000004
【図３】
2019130392.tif 000005
【図４】
2019130392.tif 000006
【図５】
2019130392.tif 000007
【図６】
2019130392.tif 000008
【図７】
2019130392.tif 000009
【図８】
2019130392.tif 000010
【図９】
2019130392.tif 000011
【図１０】
2019130392.tif 000012
【図１１】
2019130392.tif 000013
【図１２】
2019130392.tif 000014
【図１３】
2019130392.tif 000015
【図１４】
2019130392.tif 000016
【図１５】
2019130392.tif 000017
【図１６】
2019130392.tif 000018
【図１７】
2019130392.tif 000019
【図１８】
2019130392.tif 000020
【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
過去の積算線量分布を取得する過去積算線量分布取得手段と、
放射線照射手技の実行中に、当該放射線照射手技における積算線量分布を第１積算線量分布として逐次算出するとともに、前記過去の積算線量分布に前記第１積算線量分布を積算することで第２積算線量分布を逐次算出し、かつ、
前記放射線照射手技の実行中において、前記第１積算線量分布及び前記第２積算線量分布を表示部に表示させ、又は、前記第１積算線量分布及び前記第２積算線量分布のうちの一方を選択的に表示部に表示させる逐次積算線量分布算出手段と、
を有する放射線照射装置。
【請求項２】
過去の積算線量分布を取得する過去積算線量分布取得手段と、
放射線照射手技の実行中に、当該放射線照射手技における積算線量分布を第１積算線量分布として逐次算出するとともに、前記過去の積算線量分布に前記第１積算線量分布を積算することで第２積算線量分布を逐次算出し、かつ、
前記放射線照射手技の実行中において、前記第１積算線量分布及び前記第２積算線量分布を表示部に表示させる逐次積算線量分布算出手段と、
を有する放射線照射装置。
【請求項３】
過去の積算線量分布を取得する過去積算線量分布取得手段と、
放射線照射手技の実行中に、当該放射線照射手技における積算線量分布を第１積算線量分布として逐次算出するとともに、前記過去の積算線量分布に前記第１積算線量分布を積算することで第２積算線量分布を逐次算出し、かつ、
前記放射線照射手技の実行中において、前記第１積算線量分布及び前記第２積算線量分布のうちの一方を選択的に表示部に表示させる逐次積算線量分布算出手段と、
を有する放射線照射装置。
【請求項４】
前記過去積算線量分布取得手段によって、前記過去の積算線量分布として、過去の複数の積算線量分布が取得された場合に、前記過去の複数の積算線量分布を位置合せして人体モデルの体表位置ごとに加算することで、過去の加算線量分布を算出する過去加算線量分布算出手段をさらに有し、
前記逐次積算線量分布算出手段は、前記放射線照射手技の実行中に前記加算線量分布に前記第１積算線量分布を積算することで前記第２積算線量分布を逐次算出する、
請求項１乃至３のいずれか一項に記載の放射線照射装置。
【請求項５】
前記逐次積算線量分布算出手段は、前記第１積算線量分布及び前記第２積算線量分布を前記表示部に表示させる場合に、前記第１積算線量分布及び前記第２積算線量分布を、前記表示部に並べて表示させる、
請求項１又は２に記載の放射線照射装置。
【請求項６】
前記逐次積算線量分布算出手段は、前記第１積算線量分布及び前記第２積算線量分布を前記表示部に表示させる場合に、前記第１積算線量分布の表示と、前記第２積算線量分布の表示とを切り替えるように前記表示部に表示させる、
請求項１又は２に記載の放射線照射装置。
【請求項７】
前記逐次積算線量分布算出手段は、前記第１積算線量分布及び前記第２積算線量分布を前記表示部に表示させる場合に、前記第１積算線量分布及び前記第２積算線量分布の一方を拡大して前記表示部に表示させ、他方を縮小して前記表示部に表示させる、
請求項１又は２に記載の放射線照射装置。
【請求項８】
前記逐次積算線量分布算出手段は、前記第１積算線量分布及び前記第２積算線量分布を前記表示部に表示させる場合に、前記第１積算線量分布及び前記第２積算線量分布の一方の全部を前記表示部に逐次表示させ、他方の一部を前記表示部に逐次表示させる、
請求項１又は２に記載の放射線照射装置。
【請求項９】
前記逐次積算線量分布算出手段は、前記第１積算線量分布及び前記第２積算線量分布を前記表示部に表示させる場合に、前記第１積算線量分布及び前記第２積算線量分布の一方を前記表示部に陰影にて逐次表示させ、他方の積算線量の最大値を前記表示部に数値にて逐次表示させる、
請求項１又は２に記載の放射線照射装置。
【請求項１０】
前記逐次積算線量分布算出手段は、前記第１積算線量分布及び前記第２積算線量分布を前記表示部に表示させる場合に、前記第１積算線量分布及び前記第２積算線量分布を、前記表示部に異なる表示パターンで重畳的に逐次表示させる、
請求項１又は２に記載の放射線照射装置。
【請求項１１】
前記第１積算線量分布を記憶部に登録する積算線量分布登録手段をさらに有し、
前記過去積算線量分布取得手段は、前記記憶部から前記過去の積算線量分布を取得する、
請求項１乃至１０のいずれか一項に記載の放射線照射装置。
【請求項１２】
過去の積算線量分布を取得する過去積算線量分布取得手段と、
放射線照射手技の実行中に、当該放射線照射手技における積算線量分布を第１積算線量分布として逐次算出するとともに、前記過去の積算線量分布に前記第１積算線量分布を積算することで第２積算線量分布を逐次算出する逐次積算線量分布算出手段と、
を有する放射線照射装置。
【請求項１３】
放射線照射装置から過去の積算線量分布を取得する過去積算線量分布取得手段と、
放射線照射手技の実行中に、当該放射線照射手技における積算線量分布を第１積算線量分布として逐次算出するとともに、前記過去の積算線量分布に前記第１積算線量分布を積算することで第２積算線量分布を逐次算出し、かつ、
前記放射線照射手技の実行中において、前記第１積算線量分布及び前記第２積算線量分布を表示部に表示させ、又は、前記第１積算線量分布及び前記第２積算線量分布のうちの一方を選択的に表示部に表示させる逐次積算線量分布算出手段と、
を有する線量管理システム。
【請求項１４】
放射線照射装置から過去の積算線量分布を取得する過去積算線量分布取得手段と、
放射線照射手技の実行中に、当該放射線照射手技における積算線量分布を第１積算線量分布として逐次算出するとともに、前記過去の積算線量分布に前記第１積算線量分布を積算することで第２積算線量分布を逐次算出し、かつ、
前記放射線照射手技の実行中において、前記第１積算線量分布及び前記第２積算線量分布を表示部に表示させる逐次積算線量分布算出手段と、
を有する線量管理システム。
【請求項１５】
放射線照射装置から過去の積算線量分布を取得する過去積算線量分布取得手段と、
放射線照射手技の実行中に、当該放射線照射手技における積算線量分布を第１積算線量分布として逐次算出するとともに、前記過去の積算線量分布に前記第１積算線量分布を積算することで第２積算線量分布を逐次算出し、かつ、
前記放射線照射手技の実行中において、前記第１積算線量分布及び前記第２積算線量分布のうちの一方を選択的に表示部に表示させる逐次積算線量分布算出手段と、
を有する線量管理システム。
【請求項１６】
放射線照射装置から過去の積算線量分布を取得する過去積算線量分布取得手段と、
放射線照射手技の実行中に、当該放射線照射手技における積算線量分布を第１積算線量分布として逐次算出するとともに、前記過去の積算線量分布に前記第１積算線量分布を積算することで第２積算線量分布を逐次算出する逐次積算線量分布算出手段と、
を有する線量管理システム。
【手続補正２】
【補正対象書類名】明細書
【補正対象項目名】０００８
【補正方法】変更
【補正の内容】
【０００８】
本実施形態に係る放射線照射装置は、上述した課題を解決するために、過去の積算線量分布を取得する過去積算線量分布取得手段と、放射線照射手技の実行中に、当該放射線照射手技における積算線量分布を第１積算線量分布として逐次算出するとともに、前記過去の積算線量分布に前記第１積算線量分布を積算することで第２積算線量分布を逐次算出し、かつ、前記放射線照射手技の実行中において、前記第１積算線量分布及び前記第２積算線量分布を表示部に表示させ、又は、前記第１積算線量分布及び前記第２積算線量分布のうちの一方を選択的に表示部に表示させる逐次積算線量分布算出手段と、を有する。
【手続補正３】
【補正対象書類名】明細書
【補正対象項目名】０００９
【補正方法】変更
【補正の内容】
【０００９】
本実施形態に係る線量管理システムは、上述した課題を解決するために、放射線照射装置から過去の積算線量分布を取得する過去積算線量分布取得手段と、放射線照射手技の実行中に、当該放射線照射手技における積算線量分布を第１積算線量分布として逐次算出するとともに、前記過去の積算線量分布に前記第１積算線量分布を積算することで第２積算線量分布を逐次算出し、かつ、前記放射線照射手技の実行中において、前記第１積算線量分布及び前記第２積算線量分布を表示部に表示させ、又は、前記第１積算線量分布及び前記第２積算線量分布のうちの一方を選択的に表示部に表示させる逐次積算線量分布算出手段と、を有する。